(57)【要約】  【課題】  支持ボールの回転性能を向上させたボールペンチップを提供する。  【解決手段】  ボールハウス１の底面部１ａに、チップ本体Ａ１の軸線Ｘを中心とした円周状の凹曲部１ｃを形成し、この凹曲部１ｃに複数の支持ボール３の球面を係合させて、該凹曲部１ｃに沿って周方向へ回転移動自在に配置すると共に、これら支持ボール３とボールハウス１の側面部１ｂとを離して配置することにより、各支持ボール４は凹曲部１ｃ以外に何も接触しないため、筆記時の転写ボール２の回転に伴って、複数の支持ボール３が夫々自転しながら凹曲部１ｃに沿って公転する。  【選択図】      図１
2006123411.tif 000002
【特許請求の範囲】
【請求項１】
ボールハウス（１）の底面部（１ａ）と転写ボール（２）との間に球形の支持ボール（３）を複数個設け、これら複数の支持ボール（３）で転写ボール（２）を回転自在に支持するボールペンチップにおいて、
前記ボールハウス（１）の底面部（１ａ）に、チップ本体（Ａ１）の軸線（Ｘ）を中心とした円周状の凹曲部（１ｃ）を形成し、この凹曲部（１ｃ）に上記複数の支持ボール（３）の球面を係合させて、該凹曲部（１ｃ）に沿って周方向へ回転移動自在に配置すると共に、これら支持ボール（３）とボールハウス（１）の側面部（１ｂ）とを離して配置したことを特徴とするボールペンチップ。
【請求項２】
上記支持ボール（３）とボールハウス（１）の側面部（１ｂ）との間に、インク溜まり用の空間部（Ｓ）を形成したことを特徴とする請求項１記載のボールペンチップ。
【発明の詳細な説明】
【技術分野】
【０００１】
本発明は、書き味の滑らかでしかも耐久性に優れたボールペンチップに関する。
詳しくは、ボールハウスの底面部とそれに収納される転写ボールとの間に同じ大きさの球形に形成された支持ボールを複数個配置し、これら複数の支持ボールで転写ボールを回転自在に支持するボールペンチップに関する。
【背景技術】
【０００２】
従来、この種のボールペンチップとして、ボールハウスの底面部と転写ボールとの間に、該転写ボールよりも小径な３個の支持ボール（支持部材）を配置し、これら支持ボールの後端側球面をボールハウスの底面部と当接させると共に、各支持ボールの側方球面をボールハウスの側面部と当接させ、更に各支持ボールの前端側球面を転写ボールの後端側球面と当接させることにより、転写ボールが３点で支持されるものがある（例えば、特許文献１参照）。
そして、筆記時に押圧当接する転写ボールと支持ボールとが球面接触しているために、筆記時に転写ボールが滑らかに回転し、更に転写ボールの後端側が３点で支持させているために、筆記時に転写ボールに加わる力を常に安定して分散させている。
更に、これら３個の支持ボールの間に比較的大きな間隙ができる大きさの球形にした場合には、支持ボールがボールハウスの底面部の周囲に沿って移動しないようにするための固定用溝を放射状に形成することにより、３個の支持ボールが常に等間隔に保持するようにしている。
【０００３】
しかし乍ら、このような従来のボールペンチップによれば、各支持ボールがボールハウスの底面部と側面部に点接触しているため、それら間に発生する摩擦抵抗で各支持ボールは回転し難く、しかも筆記時において転写ボールから押圧力が各支持ボールへ伝わることから各支持ボールが回転性能は極めて低かった。
これら支持ボールの回転が少ないと、同じ位置で転写ボールと点接触し続けることになるため、これらの点接触部分が集中的に摩耗し、その結果、耐久性が低下して書き味の低下につながると共に、摩耗に伴い転写ボールの遊びが大きくなって所謂「ボール沈み」が発生し、それによりインク供給量が不安定となって、所謂「ボテ」の原因となるという問題があった。
特に、小径な支持ボールを相互間に間隙ができるように配置して転写ボールを支持する場合には、これら小径な支持ボールがボールハウスの底面部に沿って周方向へ移動しないように固定用溝を放射状に形成しているため、小径な支持ボールを使用しても上述したような問題があるばかりでなく、ボールハウスの内径は主に１ｍｍ以下と極めて小さいため、放射状の溝を加工するのは非常に困難であり、製造コストが高くなって実施可能性が低いという問題もあった。
【特許文献１】特開２０００−１０８５７３号公報（第３−５頁、図１−９）
【発明の開示】
【発明が解決しようとする課題】
【０００４】
本発明は、上記従来事情に鑑みてなされたもので、その課題とするところは、支持ボールの回転性能を向上させたボールペンチップを提供することにある。
【課題を解決するための手段】
【０００５】
上記課題を解決するために、第一の発明では、ボールハウスの底面部と転写ボールとの間に球形の支持ボールを複数個設け、これら複数の支持ボールで転写ボールを回転自在に支持するボールペンチップにおいて、前記ボールハウスの底面部に、チップ本体の軸線を中心とした円周状の凹曲部を形成し、この凹曲部に上記複数の支持ボールの球面を係合させて、該凹曲部に沿って周方向へ回転移動自在に配置すると共に、これら支持ボールとボールハウスの側面部とを離して配置したことを特徴とする。
また、第二の発明では、上記第一の発明の構成に加えて、上記支持ボールとボールハウスの側面部との間に、インク溜まり用の空間部を形成したことを特徴とする。
【発明の効果】
【０００６】
本発明は、上記構成により下記の作用効果を奏する。
第一の発明によれば、ボールハウスの底面部に、チップ本体の軸線を中心とした円周状の凹曲部を形成し、この凹曲部に複数の支持ボールの球面を係合させて、該凹曲部に沿って周方向へ回転移動自在に配置すると共に、これら支持ボールとボールハウスの側面部とを離して配置することにより、各支持ボールは凹曲部以外に何も接触しないため、筆記時の転写ボールの回転に伴って、複数の支持ボールが夫々自転しながら凹曲部に沿って公転する。
従って、支持ボールの回転性能を向上させたボールペンチップを提供することができる。
よって、各支持ボールがボールハウスの底面部と側面部に点接触してその摩擦抵抗により回転し難い従来技術と比べ、転写ボールと各支持ボールが夫々回転接触するため、これらの接触部分における集中的な摩耗を防止できて耐久性に優れると共に、長期に亘って書き味を滑らかに維持でき、しかも所謂「ボール沈み」や「ボテ」の発生をも防止できる。
更に、小径な支持ボールがボールハウスの底面部に沿って周方向へ移動しないように固定用溝を放射状に形成する従来技術と比べ、極めて小さなボールハウス内で放射状の溝を加工するよりもチップ本体の軸線を中心とした円周状凹曲部を加工する方が容易なため、製造コストの低減が図れて実施可能性が高い。
【０００７】
第二の発明によれば、支持ボールとボールハウスの側面部との間に、インク溜まり用の空間部を形成することにより、筆記時の転写ボール及び各支持ボールの回転に伴って、インクが各支持ボールとボールハウスの側面部の間の空間部にも流れ込み、この空間部が適当なインク溜まりとなって、そのままボールハウスの側面部に沿って転写ボールへインクがスムーズに供給される。
従って、インク供給性能を向上させることができる。
よって、転写ボールにインクが円滑に供給されるため、かすれを防止できる。
【発明を実施するための最良の形態】
【０００８】
以下、本発明の一実施例を図面に基づいて説明する。
本発明のボールペンチップＡは、図１〜図３に示す如く、略円筒形のチップ本体Ａ１と、このチップ本体Ａ１に形成されたボールハウス１内に収納される転写ボール２と、これらボールハウス１の底面部１ａと転写ボール２との間に設けられる複数の支持ボール３とを備えている。
【０００９】
前記チップ本体Ａ１は、移動不能に保持された金属製の円柱材（図示せずに）に対し、多数の切削加工を順次施すことで、図３に示す如く、その前端側からボールハウス１を凹設すると共に、このボールハウス１の底面部１ａの中心から後端側へ向けてインク誘導孔４とバック穴５を該チップ本体Ａ１の軸線Ｘに沿って一直線状に貫通開穿し、また前端側外周面には、前端へ向けて縮径されるテーパ部６を形成したものである。
【００１０】
前記ボールハウス１は、その中心に前記インク誘導孔４を開口した底面部１ａと、上記転写ボール２と略同径な側面部１ｂとからなり、図示例では、底面部１ａをインク誘導孔４へ向け所定角度で下り傾斜させると共に、側面部１ｂとして段部を介して底面部１ａ側が小径に形成され、前端側が大径に形成されている。
また、図示せる以外の例として、チップ本体Ａ１の軸線と略垂直状に底面部１ａを形成したり、側面部１ｂとして段部を設けずに同一径で面一状に形成することも可能である。
【００１１】
前記ボールハウス１の底面部１ａには、図１及び図２に示す如く、円周状の凹曲部１ｃを形成し、その中心を上記チップ本体Ａ１の軸線Ｘ上に配置して、上記転写ボール２の中心と一致させる。
この円周状の凹曲部１ｃの表面を、上記複数の支持ボール３の球面と係合するように断面円弧状に凹ませ、その上に複数の支持ボール３を載せて略密接させることにより、該凹曲部１ｃに案内されて周方向へ回転移動自在に配置されると共に、これら複数の支持ボール３で転写ボール２の後端側球面を回転自在に支持している。
【００１２】
更に、前記円周状の凹曲部１ｃに複数の支持ボール３を係合させた状態で、各支持ボール３とボールハウス１の側面部１ｂとを径方向へ離して非接触な状態に配置する。
この非接触な状態とは、僅かな隙間でも良いが、好ましくは図示せる如く、各支持ボール３とボールハウス１の側面部１ｂとの間をインク溜まり用の空間部Ｓとし、この空間部Ｓを適宜寸法に設定することで、毛細管力によるインク貯留作用を良好にしている。
【００１３】
また、上記複数の支持ボール３は、前記転写ボール２と同じ例えば超硬合金や焼入鋼球などの高硬度を有する材料か又は転写ボール２と同じ硬度の材料で形成される。
各支持ボール３の大きさは、ボールハウス１の内部容量との関係から、転写ボール２よりも小径にする場合が多いが、ボールハウス１内に収納スペースを確保できれば、転写ボール２と略同じ外径にすることも可能である。
更に、各支持ボール３の大きさを上記インク誘導孔４の内径よりも若干大径にすれば、後述する組み立て時において、これら支持ボール３がインク誘導孔４へ向け転がったとしても、それに進入して落下することを防止できる。
【００１４】
本実施例では、３個の支持ボール３を前記円周状の凹曲部１ｃの上に並べて配置した状態で、各支持ボール３の球面が相互に軽く当接する程度の大きさにするか、又は各支持ボール３の球面の間に僅かな隙間ができる程度の大きさにし、これら支持ボール３とボールハウス１の側面部１ｂの小径部分との間に空間部Ｓを形成している。
【００１５】
次に、斯かるボールペンチップＡの組み立て方法及び作用効果について説明する。
先ず、図３に示す如く、チップ本体Ａ１のボールハウス１の底面部１ａに形成された円周状の凹曲部１ｃの上に、複数の支持ボール３を並べて配置する。
これに続いて、ボールハウス１内に転写ボール２を挿入し、この転写ボール２の後端側球面を、複数の支持ボール３の前端側球面に夫々当接させる。
【００１６】
そして、これら当接状態を維持したままの状態で、図１に示す如く、チップ本体Ａ１のテーパ部６の前端部分をカシメ加工して内方に押圧変形させることにより、このカシメ部７で転写ボール２が脱落不能に抱持されると同時に、複数の支持ボール３の前端側球面で転写ボール２の後端側球面を回転自在に支持されて完成する。
【００１７】
この完成状態で、チップ本体Ａ１のバック穴５からインク（図示せず）が充填され、筆記時に転写ボール２が回転すると、それに点接触する複数の支持ボール４が夫々自転しながら円周状の凹曲部１ｃに沿って公転する。
この際、各支持ボール４は凹曲部１ｃ以外に何も接触しないため、これら支持ボール４の間に供給されるインクが潤滑剤となって各支持ボール４がスムーズに回転する。
その結果、転写ボール２と各支持ボール４が夫々回転接触するため、これらの接触部分における集中的な摩耗を防止できる。
【００１８】
また、筆記時における転写ボール２の回転及び各支持ボール３の自転・公転によって、インク誘導溝４を通ってインクが各支持ボール４とボールハウス１の側面部１ｂとの間の空間部Ｓにも流れ込み、この空間部Ｓが適当なインク溜まりとなって、そのままボールハウス１の側面部１ｂに沿って転写ボール２へインクがスムーズに供給される。
その結果、転写ボール２にインクが円滑に供給されるため、かすれを防止できる。
【００１９】
尚、前示実施例では、円周状の凹曲部１ｃの上に３個の支持ボール３を並べて配置した際に、各支持ボール３の球面が相互に軽く当接する程度の大きさか又は各支持ボール３の球面の間に僅かな隙間ができる程度の大きさにしたが、これに限定されず、２個或いは４個以上の支持ボール３を並べて配置したり、各支持ボール３の球面の間に比較的大きな隙間ができる程度の大きさにしても良い。
【００２０】
例えば４個など偶数の支持ボール３を配置した場合には、夫々の球面が相互に当接するように並べても、全てが空回りすることなく隣同士の支持ボール３がスムーズに逆回転して、更に回転性能を向上させることができる。
【図面の簡単な説明】
【００２１】
【図１】本発明の一実施例を示すボールペンチップの部分的な拡大縦断正面図である。
【図２】図１の（２）−（２）線に沿える拡大横断平面図である。
【図３】組み立て途中を示す部分的な拡大縦断正面図である。
【符号の説明】
【００２２】
Ａ  ボールペンチップ                    Ａ１  チップ本体
Ｓ  空間部                              Ｘ  軸線
１  ボールハウス                        １ａ  底面部
１ｂ  側面部                            １ｃ  凹曲部
２  転写ボール                          ３  支持ボール
４  インク誘導孔                        ５  バック穴
６  テーパ部                            ７  カシメ部
【図１】
2006123411.tif 000003
【図２】
2006123411.tif 000004
【図３】
2006123411.tif 000005